(57)【要約】      （修正有）【課題】取りつけるアクセサリーによる重心バランスの変化に柔軟に対応しつつも良好な音声を聞きながら快適に撮影することが可能な放送用・業務用のビデオカメラを提供する。【解決手段】複数のスピーカ１１０１，１１０２と、画像を表示する表示部１０９と、表示部１０９を回動するヒンジ部と、表示部１０９が撮像装置筺体に沿うように収納できる収納部を有した撮像装置筺体と、すくなくとも撮像光学系の被写体に最も近づいた第一のポジションと、撮像光学系の被写体から最も遠ざかった第二のポジションに着脱自在な撮像装置筺体に対して固定される肩乗せユニット１０２から構成される肩乗せ型撮像装置において、第一スピーカ１１０１は、肩乗せユニット１０２の第一のポジションの直上で撮像装置筺体側面に、第二スピーカ１１０２は、肩乗せユニット１０２の第二のポジションの直上にある収納部に位置する。【選択図】図４
2018107551.tif 000002
【特許請求の範囲】
【請求項１】
複数の音声出力手段と、
画像を表示する表示部と、
前記表示部を回動するヒンジ部と、
前記表示部が前記撮像装置筺体に沿うように収納できる収納部を有した撮像装置筺体と、
すくなくとも撮像光学系の被写体に最も近づいた第一のポジションと、
前記撮像光学系の被写体から最も遠ざかった第二のポジションに着脱自在な前記撮像装置筺体に対して固定される肩乗せユニットから構成される肩乗せ型撮像装置において、
肩乗せユニットの第一のポジションの直上で前記撮像装置筺体側面に第一の音声出力手段と、
肩乗せユニットの第二のポジションの直上にある前記収納部に第二の音声出力手段を有することを特徴とする肩乗せ型撮像装置。
【請求項２】
前記収納部には前記表示部の収納状態で前記撮像装置筺体との空隙を有し、
前記第二の音声出力手段は前記空隙に面して設けられたことを特徴とする請求項１に記載の肩乗せ型撮像装置。
【発明の詳細な説明】
【技術分野】
【０００１】
本発明は、撮像装置のスピーカー配置に関するものである。
【背景技術】
【０００２】
放送用・業務用のビデオカメラは、その本体を撮影者の肩に担いで撮影する肩乗せ型の撮影スタイルが多く採用されている。ビデオカメラを安定して担ぐために、ビデオカメラの底面部には肩を接地させる肩パッドが設けられている。本体には、ビデオカメラを担ぎながら撮影している映像の音声を確認するため、側面の撮影者の耳の当たる位置にスピーカーが設けられている。
【０００３】
また、業務機のビデオカメラでは筺体側面に表示部が搭載されている。撮影者が表示部を見ながら設定を確認したり、撮影画像または再生画像などを確認するために表示部が使用される。さらに使用時の自由度を高めるために、表示部にヒンジを備えて可動式液晶モニターの採用している機種もある。スピーカー位置の後方に表示部があり、表示部の前端部で、スピーカーの後方に表示部を可動させるヒンジが設けられているものがある。
【０００４】
このような放送用・業務用のビデオカメラでは、被写体の距離等に合わせて使用するレンズを交換出来る構造となっていることが一般的である。また、様々な撮影環境や撮影対象に対応するため、ビデオカメラ本体に対して様々なアクセサリーが取付けられるようになっている。そのため、取りつけるレンズやアクセサリーによって、ビデオカメラの重心位置は大きく変化してしまう。ビデオカメラを肩の上で安定して保持するためにはビデオカメラを支える肩パッド部は重心の直下に配置することが望ましい。
【０００５】
しかし、放送用・業務用のビデオカメラではレンズやアクセサリーを交換するたびに重心位置が変化してしまい、ビデオカメラを安定的に保持出来ない重心位置となることがあるという問題があった。この問題に対応するため、肩パッド部の一部が前後方向に移動可能に構成されているものが提案されている（特許文献１参照）。
【先行技術文献】
【特許文献】
【０００６】
【特許文献１】特開平８−１８６７４９号
【発明の概要】
【発明が解決しようとする課題】
【０００７】
しかしながら、特許文献１に記載の従来の技術では、取り付けたレンズやアクセサリーによる重心位置の変化に対応した位置にショルダーパッドを移動した際には、撮影者の耳とビデオカメラの位置関係が変わってしまう。例えばビデオカメラ後方に大容量バッテリなどを取り付けた場合等では、重心位置はかなり後方に移動する。この時の重心位置に対応した位置にショルダーパッドを移動するとスピーカーが耳の位置から外れてしまい、撮影している映像の音声が聞こえなくなってしまうという問題があった。
【０００８】
そこで本発明は、取りつけるアクセサリーによる重心バランスの変化に柔軟に対応しつつも良好な音声を聞きながら快適に撮影することが可能な放送用・業務用のビデオカメラを提供することを目的としてなされたものである。
【課題を解決するための手段】
【０００９】
本発明の肩乗せ型撮像装置は、複数の音声出力手段と、画像を表示する表示部と、表示部を回動するヒンジ部と、表示部が撮像装置筺体に沿うように収納できる収納部を有した撮像装置筺体と、すくなくとも撮像光学系の被写体に最も近づいた第一のポジションと、撮像光学系の被写体から最も遠ざかった第二のポジションに着脱自在な撮像装置筺体に対して固定される肩乗せユニットから構成される肩乗せ型撮像装置において、肩乗せユニットの第一のポジションの直上で前記撮像装置筺体側面に第一の音声出力手段を有し、肩乗せユニットの第二のポジションの直上にある収納部側面に第二の音声出力手段を有することを特徴とする。
【００１０】
また、前記収納部には前記表示部の収納状態で前記撮像装置筺体との空隙を有し、前記第二の音声出力手段は前記空隙に面して設けられたことを特徴とする。
【発明の効果】
【００１１】
本発明によれば、取りつけるアクセサリーによる重心バランスの変化に柔軟に対応しつつも良好な音声を聞きながら快適に撮影することが可能な放送用・業務用のビデオカメラを提供することが可能となる。
【図面の簡単な説明】
【００１２】
【図１】肩乗せ型撮像装置１００の斜視図。
【図２】本体部１０１の斜視図。
【図３】本体部１０１の表示部１０９配置状態の斜視図。
【図４】肩乗せユニット１０２とスピーカー部１１０のレイアウト詳細図。
【発明を実施するための形態】
【００１３】
以下に本発明の実施形態を添付図面に基づいて説明する。
［実施の形態］
＜肩乗せ型撮像装置の構成要素説明＞
まず最初に図１を用いて肩乗せ型撮像装置１００の構成を説明する。図１は、本発明の肩乗せ型撮像装置１００の斜視図である。なお、本実施の形態においては、被写体に向かう方向で上下左右とし、被写体側を正面、正面と対向する面を背面と定義し説明を行う。
【００１４】
本実施例に示す肩乗せ型撮像装置１００は図１に示すように、本体部１０１  、肩乗せユニット１０２、ファインダー１０３、レンズ部１０４、バッテリー１０５から構成されている。肩乗せ型撮像装置１００を使用する際には、撮影者が自身の右肩の上に肩乗せユニット１０２を乗せる形で担ぎ、肩乗せ型撮像装置１００の左側面に撮影者の右頬を当てながら把持し、バランスを取りながら保持する形態を取ることが最も安定して撮影出来る姿勢である。そのため、本実施例に示す肩乗せ型撮像装置１００も、この撮影姿勢を前提に各部の配置を行っている。
【００１５】
次に、肩乗せ型撮像装置１００の各構成要素について説明を行う。本体部１０１は、肩乗せ型撮像装置１００の撮影に関する主たる要素を持った部位であり、その詳細は後述する。肩乗せユニット１０２は、本体部１０１の底面部に連結されるユニットであり、撮影時には撮影者の肩に当接し、肩乗せ型撮像装置１００を安定的に保持する部位である。肩乗せユニット１０２は前後に移動させることができる。そのため、装着するバッテリー１０５やレンズ部１０４などによって肩乗せ型撮像装置１００の重心が前後に移動する場合にも、肩乗せユニット１０２を移動させることによって、安定して保持することができる。
【００１６】
ファインダー１０３は、内部に液晶等の表示装置と複数の光学レンズを有する接眼光学ユニットであり、撮影中の映像信号に基づき画像を表示し、表示された画像を光学的に拡大させ、撮影者に対して現在撮影している画像情報を伝達するための部位である。
【００１７】
ファインダー１０３は、肩乗せ型撮像装置１００の左側面に不図示のアングルを介して本体部１０１上部に連結されている。これは、肩乗せ型撮像装置１００を担いでいる撮影者のちょうど目の正面であり、撮影時には自然にファインダー１０３の最後端部の接眼部１０３１に目周辺を押し当て、内部を覗き込むことによって画像を確認することが可能になっている。これにより、例えば炎天下など、外部からの光が強い場所においても良好に撮影画像を目視することが可能となっている。
【００１８】
レンズ部１０４は、複数枚のレンズ群、絞り等の可動可能な複数の光学要素、およびこれらの光学要素を駆動させるアクチュエータを有しており、本体部１０１に内包されている撮像素子（不図示）上に結像する光学系である。なお、所定のレンズを移動させることにより、撮影画像の画角を変化させるズームや、被写体にピントを合わせるフォーカスを行うことができる。また、レンズ部１０４は本体部１０１に対して着脱自在に構成されている。バッテリー１０５は、本体部１０１に対して着脱自在に構成されている。例えばリチウムイオン電池等の二次電池であり、肩乗せ型撮像装置１００に電力を供給するものである。
【００１９】
＜本体部の構成要素説明＞
次に、本体部１０１の構成要素について説明する。図２は、本発明の本体部１０１の斜視図である。本体部１０１は、レンズマウント部１０６、バッテリー取付部１０８、表示部１０９、スピーカー部１１０を備えている。また、内部には図中不図示の撮像素子、制御回路、記録部などを備えている。
【００２０】
レンズマウント部１０６は、本体部１０１の正面に設けられている、レンズ部１０４が取りつく部位であり、レンズ部１０４が機械的に取りつく。また、電気接点部を備えており、本体部１０１とレンズ部１０４とは電気的にも接続される。これにより、本体部１０１はレンズ部１０４と通信し、レンズ部１０４の内部にあるアクチュエーターを制御することが可能となっている。バッテリー取付部１０８は、本体部１０１の後方に設けらた、バッテリー１０５を着脱自在に保持する部位であり、バッテリー１０５を機械的に保持しつつ電気的にも接続する部位である。
【００２１】
＜表示部の配置についての説明＞
次に、表示部１０９の配置について説明する。図３は、本発明の表示部１０９の斜視図である。表示部１０９は本体部１０１の左側面に設けられている。表示部１０９には片面に液晶パネルなどの画像の表示できる表示パネル１０９１があり、撮影および再生画像の表示や設定状態の表示ができる部位である。本体部１０１側面には表示部１０９を収納できる収納部１０１１設けられている。表示部１０９は本体部１０１に可動式の２軸のヒンジ１０９２を介して接続されている。
【００２２】
表示部１０９を開閉回転するヒンジ１０９２は表示部側面で本体背面近傍に配置されている。ヒンジ１０９２は２軸で構成されている。ここで、ヒンジによる表示部１０９の配置状態について説明する。
【００２３】
図３（ａ）は表示部１０９が収納された状態での斜視図である。図３（ｂ）は表示部１０９が第一の使用状態での斜視図である。図３（ｃ）は表示部１０９が第二の使用状態での斜視図である。図３（ａ）のように表示部１０９を使用しない場合には表示パネル１０９１が本体側に向かい合った収納状態となる。表示パネル１０９１が露出しないため、持ち運びなどの時に表示パネル１０９１への衝撃から守ることができる。ヒンジ１０９２は表示部１０９を本体から開閉する開閉軸１０９３と、開閉軸１０９３と直交する回転軸１０９４からなる。
【００２４】
図３（ａ）の状態より開閉軸１０９３を９０°開き、回転軸１０９４を１８０°回動すると、背面側に表示パネル１０９１が向いた図３（ｂ）の状態となる。この状態では、肩乗せ型撮像装置１００後方より映像を見ることができる。図３（ｂ）の状態より開閉軸１０９３を９０°閉じると図３（ｃ）の状態となる。この状態では表示パネル１０９１が本体側面に沿った状態となり、撮影者が表示部１０９下に設けられた操作部などを操作する際に、表示パネル１０９１を見ながら設定を確認することができる。
【００２５】
図３（ａ）や図３（ｃ）の表示部１０９が本体に収納された状態から、表示部１０９を動かす際には、開閉軸１０９３と対向する表示部１０９側面に指を掛けるのが開きやすい。そのため、表示部の表示部側面を露出させるようゆび掛け用の空間１０９５を設けている。
【００２６】
＜スピーカーの配置についての説明＞
スピーカー部１１０は、本体部１０１の左側側面に設けている、音声を再生するための部位である。撮影者の耳の位置は撮影者の肩の直上であるため、肩乗せユニット１０２の上になるようにスピーカー部１１０を配置している。スピーカー部１１０は、図２に示すように、２か所あり、本体部１０１の左側面中央の第一スピーカー１１０１、および、表示部１０９の収納部１０１１側面の第二スピーカー１１０２が設けている。
【００２７】
図４は本体部１０１左側面の概略図である。図４（ａ）は肩乗せユニット１０２を前方に取り付けた場合の図である。図４（ｂ）は肩乗せユニット１０２を後方に取り付けた場合の図である。図４（ａ）のように肩乗せユニット１０２を前方に取り付けた場合には、本体部１０１の左側面中央に設けられた第一スピーカー１１０１が肩の直上となる。また、図４（ｂ）のように肩乗せユニット１０２を後方に取り付けた場合には、表示部収納部が肩の直上となる。その場合には、表示部１０９の収納部１０１１側面に設けられた第二スピーカー１１０２が肩の直上となる。
【００２８】
表示部１０９の収納部１０１１側面に設けられたスピーカーはゆび掛け用の空間１０９５の側面に設けているために、表示部１０９が収納状態であっても塞がれることなく露出していて、音の出力が妨げられることはない。よって表示部１０９の状態によらず第二スピーカー１１０２を使用することができる。
【００２９】
以上のことより、肩乗せユニット１０２がどの取り付けポジションで取り付けられたとしても、良好な音声を聞きながら快適に撮影することが可能となる。
【符号の説明】
【００３０】
１００‥‥肩乗せ型撮像装置
１０１‥‥本体部
１０１１‥‥収納部
１０２‥‥肩乗せユニット
１０３‥‥ファインダー
１０３１‥‥接眼部
１０４‥‥レンズ部
１０５‥‥バッテリー
１０５１‥‥バッテリー保持部
１０６‥‥レンズマウント部
１０８‥‥バッテリー取付部
１０９‥‥表示部
１０９１‥‥表示パネル
１０９２‥‥ヒンジ
１０９３‥‥開閉軸
１０９４‥‥回転軸
１０９５‥‥ゆび掛け用の空間
１１０‥‥スピーカー部
１１０１‥‥第一スピーカー
１１０２‥‥第二スピーカー
【図１】
2018107551.tif 000003
【図２】
2018107551.tif 000004
【図３】
2018107551.tif 000005
【図４】
2018107551.tif 000006